(57)【特許請求の範囲】
【請求項１】
前胴回り域、後胴回り域、及び前記前胴回り域と前記後胴回り域との間に位置する股下域と、
前記前胴回り域から前記後胴回り域に向かう前後方向及び前記前後方向と直交する幅方向と、
前記股下域を跨ぎ、前記前胴回り域及び前記後胴回り域の少なくともいずれか一方に延びる吸収コアと、
前記吸収コアよりも前記幅方向の外側に延出したフラップ部と、
前記後胴回り域の前記フラップ部に接合され、前記前胴回り域に止着可能な止着部材と、
防漏弾性部材を具備し、肌面側に起立可能な左右一対の防漏ギャザーと、を有し、
前記防漏ギャザーは、内側防漏ギャザー及び外側防漏ギャザーを有する吸収性物品であって
前記外側防漏ギャザーは、少なくとも外側防漏シートが幅方向外側から幅方向中央に向けて延びる外側対向部と、前記外側防漏シートが中央側位置の外側防漏折り目を起点に幅方向外側に折り返された外側肌当接部と、前記外側肌当接部が前記外側対向部に接合された外側防漏接合部と、前記外側防漏接合部よりも前記前後方向の内側に位置し前記外側肌当接部が前記外側対向部に接合されていない外側防漏非接合部と、を有し、
前記内側防漏ギャザーは、前記内側防漏ギャザーにおいて最も肌面側に位置する内側肌当接部と、前記内側肌当接部と対向して配置される内側対向部と、前記内側肌当接部と前記内側対向部が接合された内側防漏接合部と、を有し、
前記内側防漏ギャザーの頂点は、前記内側肌当接部の内側縁に位置しており、
前記外側肌当接部は、前記吸収性物品の伸長状態で前記防漏ギャザーのうち最も肌面側に位置しており、
前記吸収性物品は、前記止着部材の前端縁と前記吸収性物品の後端縁の間に延びる後側領域を有し、
前記外側防漏接合部は、前記後側領域の前後方向の全域のうち半分以上の領域に設けられており、
前記前胴回り域に設けられた前記外側防漏接合部の前記前後方向の長さは、前記前胴回り域に設けられた前記内側防漏接合部の前記前後方向の長さよりも長く、かつ前記吸収性物品の前記前後方向の長さに対する１／４以上である、吸収性物品。
【請求項２】
前記吸収性物品の伸長状態において、前記外側肌当接部の頂点は、前記股下域において、前記吸収コアの外側縁よりも前記幅方向の外側に位置し、前記内側防漏ギャザーの頂点は、前記股下域において、前記吸収コアの外側縁よりも前記幅方向の外側に位置する、請求項１に記載の吸収性物品。
【請求項３】
前記吸収性物品の伸長状態において、前記前胴回り域に設けられた前記内側防漏接合部は、前記吸収コアと重なる領域に配置されている、請求項１又は請求項２に記載の吸収性物品。
【請求項４】
前記吸収性物品は、使用前に、前記前後方向に沿って延び、かつ前記吸収性物品の前記幅方向の中心を挟んで一対で配置された物品折り目を基点に、前記吸収性物品の肌面側同士が向き合うように折り畳まれており、
前記吸収性物品の伸長状態において、前記外側防漏折り目及び前記外側防漏接合部は、前記物品折り目よりも前記幅方向の外側に位置し、前記内側防漏ギャザーの頂点は、前記物品折り目よりも前記幅方向の内側に位置する、請求項１から請求項３のいずれか１項に記載の吸収性物品。
【請求項５】
前記止着部材は、前記前後方向に間隔を空けて複数設けられており、
前記吸収性物品は、前記複数の止着部材のうち最も前側に位置する止着部材の前端縁と、前記複数の止着部材のうち最も後側に位置する止着部材の前記後端縁と、の間に延びる止着領域を有し、
前記外側防漏接合部は、前記止着領域の前後方向の全域のうち半分以上の領域に設けられている、請求項１から請求項４のいずれか１項に記載の吸収性物品。
【請求項６】
前記吸収性物品の伸長状態において、前記外側防漏折り目は、少なくとも前記股下域において、前記吸収コアの外側縁よりも前記幅方向の外側に位置する、請求項１から請求項５のいずれか１項に記載の吸収性物品。
【請求項７】
前記吸収コアの肌面側に配置された表面シートを有し、
前記外側防漏シートは、前記表面シートの外側部を覆い、かつ前記表面シートに対して表面接合部を介して接合されており、
前記外側防漏接合部の前記前後方向の長さは、前記表面接合部の前後方向の長さよりも長い、請求項１から請求項５のいずれか１項に記載の吸収性物品。
【発明の詳細な説明】
【技術分野】
【０００１】
本発明は、着用者側に起立する防漏ギャザーを有する吸収性物品に関する。
【背景技術】
【０００２】
従来、着用者の尿や便等の排泄物を吸収する吸収性物品において、着用者側に起立する防漏ギャザーを有する吸収性物品が開示されている（例えば、特許文献１）。特許文献１の防漏ギャザーは、前後方向に沿った折り目を基点に防漏シートが肌面側に折り畳まれた部分であって、吸収性物品の伸長状態で最も肌面側に位置する肌当接部（特許文献１の図１におけるＨPから頂点までの部分）と、折り目から幅方向の外側に延び、伸長状態において肌当接部と対向して配置される対向部（特許文献１の図１におけるＨPから起立点Ｋまでの部分）と、を有する。肌当接部の頂点は、折り目よりも前記幅方向の外側に位置している。特許文献１の防漏ギャザーは、起立点に対して幅方向の外側に向かって肌面側に立ち上がり、いわゆる外倒れの防漏ギャザーである。
【０００３】
このような吸収性物品を装着補助者が着用者に対して装着する際は、着用者の腰回りを持ち上げて、腰回りの下方に後胴回り域を敷いた後に、前胴回り域によって着用者の腹部を覆い、後胴回り域に設けられた止着部材を前胴回り域に止着することができる。しかし、例えば、装着補助者としての介護者が成人の着用者に対して吸収性物品を装着する際は、介護者が着用者の腰回りを持ち上げて、腰回りの下方に後胴回り域を敷くことが難しい。そのため、例えば、図６によって示す装着方法によって、吸収性物品１００を装着補助者が仰向けに寝た成人の着用者に対して装着することができる。装着補助者は、まず、着用者の体位を変更する。具体的には、仰向けで寝ている状態から横向きに寝た状態に変更する。装着補助者は、吸収性物品において吸収コアよりも幅方向の外側に延出したフラップ部１１０を幅方向の内側に折り返し、当該折り返した状態の吸収性物品１００を着用者の臀部側に敷く（図６（ａ）、（ｂ））。次いで、装着補助者は、着用者の体位を仰向けに戻し、折り返した状態の吸収性物品１００上に着用者を乗せる（図６（ｃ）、（ｄ））。吸収性物品１００上に着用者が乗った状態では、折り返したフラップ部１１０上に着用者の臀部が乗っている。装着補助者は、折り返したフラップ部１１０を、力をかけて引き出す（図６（ｅ）、（ｆ））。次いで、装着補助者は、前胴回り域によって着用者の腹部を覆い、後胴回り域に設けられた止着部材１２０を前胴回り域に止着することで、吸収性物品を着用者に装着できる。
【先行技術文献】
【特許文献】
【０００４】
【特許文献１】特開２００２−２８２３０２号公報
【発明の概要】
【発明が解決しようとする課題】
【０００５】
特許文献１の吸収性物品は、以下の問題があった。上述の装着方法によって吸収性物品を装着すると、着用者の体圧がかかった状態でフラップ部を引き出すため、フラップ部全体を引き出せないことがあった。より詳細には、防漏ギャザーの頂点は、伸長状態で幅方向の外側に向いている。しかし、装着過程においてフラップ部が折り返された状態では、防漏ギャザーの頂点が、幅方向の内側に向いていることがある。そのため、フラップ部の引き出し時に体圧によって防漏ギャザーの頂点が外側に引き出されないことがあった。着用時に防漏ギャザーの頂点が幅方向の外側に向かって立ち上がらず、本来の防漏ギャザーの機能を発揮できないことがあった。
【０００６】
本発明は、このような問題に鑑みてなされたものであり、外倒れの防漏ギャザーの頂点が幅方向の外側に向くように着用可能な吸収性物品を提供する。
【課題を解決するための手段】
【０００７】
一態様に係る吸収性物品は、前胴回り域、後胴回り域、及び前記前胴回り域と前記後胴回り域との間に位置する股下域と、前記前胴回り域から前記後胴回り域に向かう前後方向及び前記前後方向と直交する幅方向と、前記股下域を跨ぎ、前記前胴回り域及び前記後胴回り域の少なくともいずれか一方に延びる吸収コアと、前記吸収コアよりも前記幅方向の外側に延出したフラップ部と、前記後胴回り域の前記フラップ部に接合され、前記前胴回り域に止着可能な止着部材と、防漏弾性部材を具備し、肌面側に起立可能な左右一対の防漏ギャザーと、を有する。前記防漏ギャザーは、少なくとも防漏シートが幅方向外側から幅方向中央に向けて延びる対向部と、前記防漏シートが中央側位置の外側防漏折り目を起点に幅方向外側に折り返された肌当接部と、前記肌当接部が前記対向部に接合された防漏接合部と、前記防漏接合部よりも前記前後方向の内側に位置し前記肌当接部が前記対向部に接合されていない防漏非接合部と、を有する。前記肌当接部は、前記吸収性物品の伸長状態で前記防漏ギャザーのうち最も肌面側に位置している。前記吸収性物品は、前記止着部材の前端縁と前記吸収性物品の後端縁の間に延びる後側領域を有する。前記防漏接合部は、前記後側領域の前後方向の全域のうち半分以上の領域に設けられている。
【図面の簡単な説明】
【０００８】
【図１】図１は、実施形態に係る吸収性物品を肌面側から見た平面図である。
【図２】図２は、図１に示す吸収性物品が物品折り目を基点に折り畳まれた状態を示した平面図である。
【図３】図３は、図１に示すＡ−Ａ線に沿った断面図である。
【図４】図４は、図１に示すＢ−Ｂ線に沿った断面図である。
【図５】図５は、図１に示すＣ−Ｃ線に沿った断面図である。
【図６】図６は、従来技術における吸収性物品の装着方法を説明するための図である。
【発明を実施するための形態】
【０００９】
（１）実施形態の概要
本明細書及び添付図面の記載により、少なくとも以下の事項が明らかとなる。
一態様に係る吸収性物品は、前胴回り域、後胴回り域、及び前記前胴回り域と前記後胴回り域との間に位置する股下域と、前記前胴回り域から前記後胴回り域に向かう前後方向及び前記前後方向と直交する幅方向と、前記股下域を跨ぎ、前記前胴回り域及び前記後胴回り域の少なくともいずれか一方に延びる吸収コアと、前記吸収コアよりも前記幅方向の外側に延出したフラップ部と、前記後胴回り域の前記フラップ部に接合され、前記前胴回り域に止着可能な止着部材と、防漏弾性部材を具備し、肌面側に起立可能な左右一対の防漏ギャザーと、を有する。前記防漏ギャザーは、少なくとも防漏シートが幅方向外側から幅方向中央に向けて延びる対向部と、前記防漏シートが中央側位置の外側防漏折り目を起点に幅方向外側に折り返された肌当接部と、前記肌当接部が前記対向部に接合された防漏接合部と、前記防漏接合部よりも前記前後方向の内側に位置し前記肌当接部が前記対向部に接合されていない防漏非接合部と、を有する。前記肌当接部は、前記吸収性物品の伸長状態で前記防漏ギャザーのうち最も肌面側に位置している。前記吸収性物品は、前記止着部材の前端縁と前記吸収性物品の後端縁の間に延びる後側領域を有する。前記防漏接合部は、前記後側領域の前後方向の全域のうち半分以上の領域に設けられている。本態様によれば、防漏接合部が後側領域の前後方向の全域のうち半分以上の領域に設けられているため、フラップ部の引き出し時に防漏接合部を介して肌当接部が引き出され易くなる。よって、肌当接部を引き出し、外倒れの防漏ギャザーの頂点を幅方向の外側に向くように装着できる。
【００１０】
好ましい一態様によれば、前記止着部材は、前記前後方向に間隔を空けて複数設けられている。前記吸収性物品は、前記複数の止着部材のうち最も前側に位置する止着部材の前端縁と、前記複数の止着部材のうち最も後側に位置する止着部材の前記後端縁と、の間に延びる止着領域を有する。前記防漏接合部は、前記止着領域の前後方向の全域のうち半分以上の領域に設けられている。本態様によれば、装着補助者が装着時に止着部材の全体を引き出した際に、防漏接合部を介して肌当接部が引き出され易くなる。よって、肌当接部を引き出し、外倒れの防漏ギャザーの頂点を幅方向の外側に向くように装着できる。
【００１１】
好ましい一態様によれば、前記吸収性物品は、使用前に、前記前後方向に沿って延び、かつ前記吸収性物品の前記幅方向の中心を挟んで一対で配置された物品折り目を基点に、前記吸収性物品の肌面側同士が向き合うように折り畳まれている。前記防漏接合部の少なくとも一部は、前記物品折り目を基点に展開した展開状態において前記物品折り目よりも前記幅方向の外側に配置されている。本態様によれば、着用時にフラップ部を折り畳む際に、折り癖が付いている物品折り目を基点に折り畳むことがある。このように折り畳んだ場合には、吸収性物品上に着用者を載せた後に、物品折り目を基点にフラップ部を展開する。この展開時にフラップ部とともに防漏接合部を展開でき、防漏接合部を介して肌当接部を引き出すことができる。よって、肌当接部を引き出し、外倒れの防漏ギャザーの頂点を幅方向の外側に向くように装着できる。
【００１２】
好ましい一態様によれば、前記防漏折り目は、前記展開状態において前記物品折り目よりも前記幅方向の外側に配置されている。本態様によれば、物品折り目を基点にフラップ部を展開する時に、フラップ部とともに肌当接部全体を引き出すことができる。
【００１３】
好ましい一態様によれば、前記吸収性物品の伸長状態において、前記肌当接部の頂点は、前記吸収コアの外側縁よりも前記幅方向の外側に位置する。本態様によれば、装着時に着用者を横向きにした後に着用者を吸収性物品の上に載せる際は、一般的に、着用者の臀部が吸収コアに乗るように位置を調整する。すなわち、吸収コアよりも幅方向の外側には、着用者の臀部が乗りにくい。装着過程で着用者の体圧が掛かり難い領域（吸収コアよりも幅方向の外側の領域）に、肌当接部の頂点が配置されているため、装着過程で着用者の体圧によって肌当接部の頂点が展開し難くなる不具合を抑制できる。
【００１４】
好ましい一態様によれば、前記吸収性物品の伸長状態において、前記防漏折り目は、少なくとも前記股下域において、前記吸収コアの外側縁よりも前記幅方向の外側に位置する。本態様によれば、装着過程で着用者の体圧が掛かり難い領域（吸収コアよりも幅方向の外側の領域）に、肌当接部の全体が配置されているため、装着過程で着用者の体圧によって肌当接部が展開し難くなる不具合を抑制できる。
【００１５】
好ましい一態様によれば、前記吸収コアの肌面側に配置された表面シートを有する。前記防漏シートは、前記表面シートの外側部を覆い、かつ前記表面シートに対して表面接合部を介して接合されている。前記防漏接合部の前記前後方向の長さは、前記表面接合部の前後方向の長さよりも長い。本態様によれば、防漏接合部の前後方向の長さが比較的長いため、フラップ部を展開する際に外倒れの防漏ギャザーを一緒に展開し易い。また、表面シートと防漏シートを接合する表面接合部の前後方向の長さが比較的短いため、防漏ギャザーが幅方向の内側に引っ張られすぎず、防漏ギャザーの頂点が幅方向の外側により向くように装着し易く、本来の外倒しギャザー機能を発揮しやすくなる。
【００１６】
好ましい一態様によれば、前記防漏ギャザーよりも前記幅方向の内側に位置し、肌面側に起立可能な左右一対の第２防漏ギャザーを有する。前記第２防漏ギャザーは、前記第２防漏ギャザーにおいて最も肌面側に位置する第２肌当接部と、前記第２肌当接部と対向して配置される第２対向部と、前記第２肌当接部と前記第２対向部が接合された第２防漏接合部と、を有する。前記第２防漏ギャザーの頂点は、前記第２肌当接部の内側縁に位置している。前記防漏接合部の前記前後方向の長さは、前記第２防漏接合部の前記前後方向の長さよりも長い。本態様によれば、防漏接合部の前記前後方向の長さが比較的長いため、フラップ部を展開する際に外倒れの防漏ギャザーを一緒に展開し易い。一方、第２防漏ギャザーは、その頂点が第２肌当接部の内側縁に位置しており、いわゆる内倒れの防漏ギャザーである。第２防漏接合部の前後方向の長さが比較的短いため、防漏ギャザーと比較して、フラップ部の展開時に追従し難い。よって、外倒れの防漏ギャザーの頂点を幅方向の外側に向くように装着できるとともに、内倒れの防漏ギャザーの頂点を幅方向の内側に向くように装着でき、本来の防漏ギャザー及び第２防漏ギャザーの機能を発揮しやすくなる。
【００１７】
好ましい一態様によれば、前記防漏接合部は、前記前胴回り域に設けられている。前記前胴回り域に設けられた前記防漏接合部の前記前後方向の長さは、前記吸収性物品の前記前後方向の長さに対する１／４以上である。吸収性物品を装着する際には、着用者の脚の間に前胴回り域を通し、着用者の腹部を前胴回り域で覆う。このとき、着用者の脚の間が狭くなり、防漏ギャザーが脚に当たることで、外倒れの防漏ギャザーが内側に倒れるおそれがある。しかし、前胴回り域に設けられた前記防漏接合部の前記前後方向の長さが長いため、防漏ギャザーが脚に当たっても外倒れの防漏ギャザーが内側に倒れることを抑制し、外倒れの防漏ギャザーの頂点を幅方向の外側に向くように装着できる。
【００１８】
（２）吸収性物品の実施形態
以下、図面を参照して、実施形態に係る吸収性物品としての使い捨ておむつについて説明する。吸収性物品は、大人用の使い捨ておむつであってもよいし、子供用の使い捨ておむつであってもよい。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１９】
図１は、本実施形態に係る吸収性物品１を肌面側から見た平面図であり、図２は、図１に示す吸収性物品が物品折り目を基点に折り畳まれた状態を示した平面図である。図３は、図１に示すＡ−Ａ線に沿った断面図である。図４は、図１に示すＢ−Ｂ線に沿った断面図である。図５は、図１に示すＣ−Ｃ線に沿った断面図である。図１及び図２に示す平面図は、吸収性物品１を皺が形成されない状態まで伸長させた伸長状態を示している。なお、本発明における伸長状態とは、吸収性物品１を皺が形成されない状態まで伸長させた状態である。また、本発明における自然状態とは、パッケージに収容されている吸収性物品１にあっては、パッケージから吸収性物品１を取り出し、２０℃±２℃、相対湿度６０％±５％ＲＨの雰囲気下において２４時間放置した状態である。本実施の形態の吸収性物品１は、展開型の大人用の吸収性物品であるが、これに限定されない。吸収性物品１は、子供用の吸収性物品であってもよい。
【００２０】
吸収性物品１は、互いに直交する前後方向Ｌ及び幅方向Ｗを有する。前後方向Ｌは、身体前側と身体後側とに延びる方向（前胴回り域Ｓ１と後胴回り域Ｓ２に延びる方向）によって規定される。言い換えると、前後方向Ｌは、展開された吸収性物品１において前後に延びる方向である。また、吸収性物品１は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００２１】
吸収性物品１は、前胴回り域Ｓ１と、後胴回り域Ｓ２と、股下域Ｓ３と、を有する。前胴回り域Ｓ１は、使用時に着用者の身体前側に面する。後胴回り域Ｓ２は、使用時に着用者の身体後側に面する。股下域Ｓ３は、前胴回り域Ｓ１と後胴回り域Ｓ２との間に位置し、使用時に着用者の股下に配置される。股下域Ｓ３は、吸収コア３０によって規定できる。具体的には、括れ部３３を有する吸収コア３０においては、吸収コア３０の括れ部３３が形成された領域が、股下域Ｓ３の前後方向Ｌの領域となる。括れ部３３を有しない吸収コア３０においては、吸収コア３０の前後方向の長さを三等分したうちの中央の領域が、股下域Ｓ３の前後方向Ｌの領域となる。本実施の形態では、吸収コア３０の括れ部３３の前端縁が、股下域Ｓ３と前胴回り域Ｓ１の境界を規定し、吸収コア３０の括れ部３３の後端縁が、股下域Ｓ３と後胴回り域Ｓ２の境界を規定している。
【００２２】
吸収性物品１は、少なくとも吸収コア３０を有する。吸収コア３０は、股下域Ｓ３を跨ぎ、前胴回り域Ｓ１及び後胴回り域Ｓ２の少なくとも一方に延びている。吸収コア３０は、例えば粉砕パルプもしくは高吸収性ポリマー（ＳＡＰ）、又はこれらの混合物を含む吸収材料の積層体であってよい。上述のように、吸収コア３０は、股下域において幅方向Ｗに凹んだ括れ部３３が形成されている。括れ部３３の幅方向Ｗの長さは、吸収コアの括れ部３３以外の部分の幅方向Ｗの長さよりも短い。
【００２３】
吸収性物品１は、吸収コア３０の肌面側Ｔ１に位置する肌面シート１０を有する。肌面シートは、表面シート１１と、サイドシート１２と、肌側コアラップ１３と、を有してよい。表面シート１１は、液透過性を有し、吸収コア３０の少なくとも幅方向Ｗの中心を覆うように配置されてよい。サイドシート１２は、一般的な不織布からなり、疎水性有する素材や加工がされていてもよい。サイドシート１２は、吸収コア３０の幅方向Ｗの中心よりも幅方向Ｗの外側において、幅方向Ｗにおける表面シート１１の両側部を覆うように配置されてよい。表面シート１１は、後述する内側防漏シート６８１を構成し、サイドシート１２は、後述する外側防漏シート６８２を構成してよい。肌側コアラップ１３は、不織布又はティッシュによって構成される。変形例において、肌面シート１０は、表面シート１１の非肌面側、かつ肌側コアラップ１３よりも肌面側に配置されたセカンドシートを有してよい。吸収性物品１は、吸収コア３０の非肌面側Ｔ２に位置する非肌面シート２０を有する。非肌面シート２０は、液不透過性のバックフィルム２１と、バックフィルム２１の非肌面側Ｔ２に配置されたバック不織布２２と、吸収コア３０の非肌面側に位置する非肌側コアラップ２３を有してよい。
【００２４】
少なくとも後胴回り域Ｓ２には、フラップ部９０が設けられてよい。フラップ部９０は、吸収コア３０よりも幅方向Ｗの外側に延出している。フラップ部９０は、基材シート９３と、基材シート９３上に接合された止着部材と、を有する。基材シート９３は、肌面シート１０と非肌面シート２０の間に接合され、かつ肌面シート１０と非肌面シート２０から幅方向Ｗの外側に延出している。止着部材は、前胴回り域Ｓ１に設けられたターゲット部９５に止着可能に構成されている。より詳細には、止着部材は、ターゲット部９５に止着するフック部材が配置されている。本実施の形態の止着部材は、前後方向Ｌに間隔を空けて配置された第１止着部材９１及び第２止着部材９２を有する。第１止着部材９１は、第２止着部材９２よりも前側に位置している。第１止着部材９１の前端縁９１Ｆは、止着部材の前端縁を構成し、第２止着部材９２の後端縁９２Ｒは、止着部材の後端縁を構成する。なお、変形例において、止着部材は、左右それぞれに１個ずつ設けられていてもよい。フラップ部９０の前端縁９０Ｆは、基材シート９３の前端縁によって構成されている。また、変形例において、吸収性物品１は、フラップ部９０の基材シート９３を備えず、肌面シート１０及び非肌面シート２０が幅方向Ｗの外側に延出し、当該肌面シート上に止着部材が接合されていてもよい。当該基材シート９３を備えない変形例においては、フラップ部９０の前端縁９０Ｆは、止着部材の前端縁によって構成されてよい。吸収性物品は、止着部材の前端縁９０Ｆと吸収性物品１の後端縁１Ｒの間に延びる後側領域Ｒ１０を有する。図１に示すように、後側領域Ｒ１０は、フラップ部９０の前端縁９０Ｆを通り、かつ幅方向に延びる仮想線ＥＬ１１と、吸収性物品１の後端縁１Ｒを通り、かつ幅方向に延びる仮想線ＥＬ１２と、によって挟まれた領域である。
【００２５】
図２に示すように、吸収性物品１は、使用前に、前後方向Ｌに沿って延びる物品折り目ＦＬ１を基点に折り畳まれている。物品折り目ＦＬ１は、吸収性物品１の幅方向Ｗの中心である物品幅中心１ＷＣを挟んで一対で配置されている。吸収性物品１は、物品折り目ＦＬ１を基点に肌面側Ｔ１同士が向き合うように折り畳まれている。よって、吸収性物品１には、物品折り目ＦＬ１よりも幅方向Ｗの外側の領域が、物品折り目ＦＬ１を基点に肌面側Ｔ１に立ち上がるような折り癖が形成される。図１に示すように、物品折り目ＦＬ１は、少なくとも前胴回り域Ｓ１及び後胴回り域Ｓ２において吸収コア３０に重なっている。本実施の形態の物品折り目ＦＬ１は、括れ部３３の内側縁（括れ部において最も幅方向Ｗの内側に凹んだ部分）よりも幅方向Ｗの外側、かつ吸収コア３０の外側縁３０Ｅよりも幅方向Ｗの内側に配置されている。なお、吸収性物品１のフラップ部９０は、物品折り目ＦＬ１を基点に折り畳まれる前に、止着部材が幅方向Ｗの内側に折り畳まれ、かつ止着部材が折り畳まれた状態でフラップ部の内側縁（肌面シート１０の外側縁及び非肌面シート２０の外側縁）を基点に幅方向Ｗの内側に折り畳まれている。
【００２６】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。また、内側辺は、内側縁を含み、かつ前後方向Ｌに沿って延びる辺である。外側辺は、外側縁を含み、かつ前後方向Ｌに沿って延びる辺である。なお、本明細書において、「前後方向Ｌに沿って」という用語は、前後方向Ｌに対して４５°未満の角度を持った方向を意味し、「幅方向Ｗに沿って」という用語は、幅方向Ｗに対して４５°未満の角度を持った方向を意味する。
【００２７】
吸収性物品１は、側部弾性部材８０を有する。側部弾性部材８０は、吸収コアの外側縁３０Ｅよりも幅方向Ｗの外側に位置し、前後方向Ｌに伸縮する。側部弾性部材８０は、後述する防漏弾性部材と別の伸縮性部材である。側部弾性部材８０は、肌面シート１０と非肌面シート２０の間に接合されている。より詳細には、側部弾性部材８０は、幅方向Ｗに間隔を空けて左右３本ずつ設けられている。最も幅方向Ｗの内側に位置する側部弾性部材８０は、表面シート１１とバックフィルム２１の間に配置されている。残りの２本の側部弾性部材８０は、サイドシート１２とバックフィルム２１の間に配置されている。
【００２８】
吸収性物品は、内側防漏ギャザー６０１及び外側防漏ギャザー６０２を有する。内側防漏ギャザー６０１及び外側防漏ギャザー６０２は、着用者の肌面側Ｔ１に起立可能に構成されており、左右一対で設けられている。防漏ギャザー６０は、防漏弾性部材と、防漏弾性部材の収縮によって収縮する収縮部と、収縮部よりも幅方向Ｗの側方において収縮部の起立支点となる幅基端縁と、収縮部よりも前側において、収縮部６３の起立支点となる前基端縁６５と、収縮部６３よりも後側において、収縮部６３の起立支点となる後基端縁６６と、を有している。収縮部６３の前端縁は、前基端縁６５に一致し、収縮部６３の後端縁は、後基端縁６６に一致する。収縮部６３は、肌面側Ｔ１に向かって起立可能な領域であり、防漏弾性部材６９が配置された領域のみならず、防漏弾性部材６９が配置されていない領域も含む概念である。内側防漏ギャザー６０１及び外側防漏ギャザー６０２は、少なくとも防漏シート６８及び防漏弾性部材６９によって構成されている。防漏弾性部材６９は、前後方向Ｌに伸長した状態で配置されており、前後方向Ｌに伸縮する。防漏シート６８は、防漏弾性部材６９が接合されており、少なくとも一部が防漏シート６８よりも非肌面側に位置するシートに対して起立可能に構成されている。なお、以下の内側防漏ギャザー６０１及び外側防漏ギャザー６０２の説明において、特段の説明がない限り、吸収性物品１の伸長状態における位置関係とする。
【００２９】
内側防漏ギャザー６０１は、いわゆる内倒れのギャザーであり、幅方向Ｗの内側に向かって開口する収容空間を形成する。外側防漏ギャザー６０２は、いわゆる外倒れのギャザーであり、幅方向Ｗの外側に向かって開口する収容空間を形成する。外側防漏ギャザーは、本発明における「防漏ギャザー」を構成する。内側防漏ギャザー６０１は、外側防漏ギャザー６０２よりも幅方向Ｗの内側に位置し、本発明における「第２防漏ギャザー」を構成する。なお、内側防漏ギャザー６０１の少なくとも一部が、外側防漏ギャザー６０２よりも幅方向の内側に位置していればよい。吸収性物品１は、少なくとも外側防漏ギャザー６０２を有していればよく、内側防漏ギャザー６０１を有していなくてよい。
【００３０】
内側防漏ギャザー６０１は、収縮部６３としての内側収縮部６３１と、幅基端縁６４としての内側幅基端縁６４１と、前基端縁６５としての内側前基端縁６５１と、後基端縁６６としての内側後基端縁６６１と、防漏シート６８としての内側防漏シート６８１と、防漏弾性部材６９としての内側防漏弾性部材６９１と、を有する。内側防漏弾性部材６９１は、内側収縮部６３１の内側部に設けられており、吸収性物品の伸長状態において、内側幅基端縁６４１よりも幅方向Ｗの内側に位置している。内側収縮部６３１の頂点は、後述する内側肌当接部７１１の内側縁に設けられている。本実施の形態の内側防漏シート６８１は、表面シート１１によって構成されている。なお、変形例において、内側防漏シート６８１は、サイドシートによって構成されていてもよいし、表面シート及びサイドシート以外の他のシートによって構成されていてもよい。
【００３１】
内側防漏ギャザー６０１は、内側対向部７２１と、内側肌当接部７１１と、内側防漏接合部７３１と、内側防漏接合部７３１よりも前後方向の内側に位置し、内側肌当接部７１１が内側対向部７２１に接合されていない内側防漏非接合部７４１と、を有する。本実施の形態の内側防漏ギャザー６０１は、内側防漏シート６８１としての表面シート１１によって内側肌当接部７１１と内側対向部７２１が構成されている。しかし、変形例において、内側肌当接部７１１と内側対向部７２１は、異なるシートによって構成されていてよい。本実施の形態の内側防漏シート６８１は、幅方向Ｗの外側部において第１表面折り目ＦＬ１１を基点に、肌面側Ｔ１かつ幅方向Ｗの内側に折り畳まれるとともに、折り畳まれた部分の幅方向Ｗの内側部において第２表面折り目ＦＬ１２を基点に、非肌面側Ｔ２かつ幅方向Ｗの外側に折り畳まれている。第１表面折り目ＦＬ１１と第２表面折り目ＦＬ１２の間の領域は、内側対向部７２１よりも肌面側Ｔ１に位置し、吸収性物品１の伸長状態で内側防漏ギャザー６０１のうち最も肌面側Ｔ１に位置しており、内側肌当接部７１１を構成する。第１表面折り目ＦＬ１１間の領域のうち、内側肌当接部７１１と重なる領域は、内側対向部７２１を構成する。内側防漏接合部７３１は、内側防漏非接合部７４１よりも前側と内側防漏非接合部７４１よりも後側に設けられている。内側防漏接合部７３１と重なる領域は、内側肌当接部７１１が起立不能に構成されている。内側防漏非接合部７４１と重なる領域は、内側肌当接部７１１が起立可能に構成されており、内側収縮部６３１が形成される。内側肌当接部７１１は、本発明の「第２肌当接部」を構成し、内側対向部７２１は、本発明の「第２対向部」を構成し、内側防漏接合部７３１は、本発明の「第２防漏接合部」を構成する。内側前基端縁６５１は、内側防漏非接合部７４１（内側収縮部６３１）よりも前側における内側防漏接合部７３１（内側肌当接部７１１が内側対向部７２１に固定された領域）の後端縁（最も内側収縮部側の端縁）であり、内側防漏非接合部７４１の前端縁と一致する。内側後基端縁６６１は、内側防漏非接合部７４１（内側収縮部６３１）よりも後側における内側防漏接合部７３１（内側肌当接部７１１及び先端部が内側対向部７２１に固定された領域）の前端縁（最も内側収縮部側の端縁）であり、内側防漏非接合部７４１の後端縁と一致する。
【００３２】
外側防漏ギャザー６０２は、収縮部６３としての外側収縮部６３２と、幅基端縁６４としての外側幅基端縁６４２と、前基端縁６５としての外側前基端縁６５２と、後基端縁６６としての外側後基端縁６６２と、防漏弾性部材６９としての外側防漏弾性部材６９２と、防漏シート６８としての外側防漏シート６８２と、を有する。外側防漏弾性部材６９２は、外側収縮部６３２の外側部に設けられており、吸収性物品の伸長状態において、外側幅基端縁６４２よりも幅方向Ｗの外側に位置している。外側収縮部６３２の頂点は、外側収縮部６３２の外側縁に設けられている。外側防漏弾性部材６９２は、本発明の「防漏弾性部材」を構成する。外側防漏シート６８２は、本発明の「防漏シート」を構成する。本実施の形態の外側防漏シート６８２は、サイドシート１２によって構成されている。なお、変形例において、外側防漏シート６８２は、表面シートによって構成されていてもよいし、表面シート及びサイドシート以外の他のシートによって構成されていてもよい。
【００３３】
外側防漏ギャザー６０２は、少なくとも外側防漏シート６８２が幅方向Ｗ外側から幅方向の中央に向けて延びる外側対向部７２２と、外側防漏シート６８２が中央側位置の防漏折り目（第１サイド折り目ＦＬ２１）を起点に幅方向の外側に折り返された外側肌当接部７１２と、外側肌当接部７１２が外側対向部７２２に接合された外側防漏接合部７３２と、外側防漏接合部７３２よりも前後方向の内側に位置し外側肌当接部７１２が外側対向部７２２に接合されていない外側防漏非接合部７４２と、を有する。外側肌当接部７１２は、外側対向部７２２よりも肌面側Ｔ１に位置し、吸収性物品１の伸長状態で外側防漏ギャザー６０２のうち最も肌面側Ｔ１に位置している。外側防漏接合部７３２は、外側防漏非接合部７４２よりも前側と外側防漏非接合部７４２よりも後側に設けられている。外側防漏接合部７３２と重なる領域は、外側肌当接部７１２が起立不能に構成されている。外側防漏非接合部７４２と重なる領域は、外側肌当接部７１２が起立可能に構成されており、外側収縮部６３２が形成される。第１サイド折り目ＦＬ２１は、本発明の「防漏折り目」を構成する。
【００３４】
本実施の形態の外側防漏シート６８２は、サイドシート１２が折り返されることによって形成されている。より詳細には、サイドシート１２は、幅方向Ｗの内側部において第１サイド折り目ＦＬ２１を基点に、肌面側Ｔ１かつ幅方向Ｗの外側に折り畳まれるとともに、折り畳まれた部分の幅方向Ｗの外側部において第２サイド折り目ＦＬ２２を基点に、非肌面側Ｔ２かつ幅方向Ｗの内側に折り畳まれている。第１サイド折り目ＦＬ２１と第２サイド折り目ＦＬ２２の間の領域は、外側肌当接部７１２を構成する。第２サイド折り目ＦＬ２２を基点に折り畳まれた部分は、外側先端部を構成する。第２サイド折り目ＦＬ２２を基点に折り畳まれていない部分（第２サイド折り目から幅方向Ｗ外側に延びる部分）のうち、外側肌当接部７１２と重なる領域は、外側肌当接部７１２と対向して配置された外側対向部７２２を構成する。外側先端部は、外側対向部７２２を覆っている。外側防漏弾性部材６９２は、外側肌当接部７１２と先端部との間に配置されている。本実施の形態の外側幅基端縁６４２は、第２サイド折り目ＦＬ２２である。外側前基端縁６５２は、外側防漏非接合部７４２（外側収縮部６３２）よりも前側における外側防漏接合部７３２（外側肌当接部７１２及び先端部が外側対向部７２２に固定された領域）の後端縁（最も外側収縮部側の端縁）であり、外側防漏非接合部７４２の前端縁と一致する。外側後基端縁６６２は、外側防漏非接合部７４２（外側収縮部６３２）よりも後側における外側防漏接合部７３２（外側肌当接部７１２及び先端部が外側対向部７２２に固定された領域）の前端縁（最も外側収縮部側の端縁）であり、外側防漏非接合部７４２の後端縁と一致する。
【００３５】
本実施の形態の吸収性物品１は、外倒れの外側防漏ギャザー６０２の頂点が幅方向Ｗの外側に向くように着用可能に構成されている。次いで、外側防漏ギャザー６０２の頂点を外側に向けるための構成について詳細に説明する。外側防漏ギャザー６０２の外側防漏接合部７３２は、後側領域Ｒ１０の前後方向Ｌの全域のうち半分以上の領域に設けられている。なお、外側防漏接合部７３２は、後側領域Ｒ１０内で前後方向Ｌに連続していなくてもよい。外側防漏接合部７３２が前後方向Ｌに間隔を空けて複数向けられた形態にあっては、後側領域Ｒ１０内に配置された外側防漏接合部７３２の合計長さが、後側領域Ｒ１０の前後方向の長さに対する１／２以上であればよい。なお、本実施の形態の外側防漏接合部７３２は、外側防漏非接合部７４２よりも後側において外側後基端縁６６２と吸収性物品１の後端縁１Ｒの間に延びており、後側領域Ｒ１０の前後方向Ｌの全域に亘って配置されている。しかし、変形例において、外側防漏接合部７３２の後端縁は、吸収性物品１の後端縁１Ｒよりも前側に位置してよい。また、外側防漏非接合部７４２よりも前側に配置された外側防漏接合部７３２の前後方向Ｌの長さは、吸収性物品の前後方向Ｌの長さに対する１／４以上であってよい。
【００３６】
外側防漏ギャザー６０２の外側肌当接部７１２は、外側防漏接合部７３２と重なる領域において外側対向部７２２に対して起立不能に構成されており、外側防漏非接合部７４２と重なる領域において外側対向部７２２に対して起立可能に構成されている。外側対向部７２２は、外側肌当接部７１２よりも非肌面側に配置されている。そのため、図６に示すような吸収性物品１の外側部を一旦折り畳んで、身体の下に吸収性物品１を配置し、その後にフラップ部９０を引き出す装着態様においてフラップ部９０が引き出される際に、外側対向部７２２は、フラップ部９０共に引き出され易い。一方、外側肌当接部７１２は、最も肌面側Ｔ１に位置しており、着用者の体圧を直接受けるとともに肌との間の摩擦力が発生し、フラップ部９０と共に引き出され難い。出願人が装着補助者の装着態様を検証したところ、装着補助者は、フラップ部９０を引き出す際に、次の装着操作である止着部材を引き出すことを意識し、止着部材の前端縁９０Ｆと吸収性物品１の後端縁１Ｒの間に延びる後側領域Ｒ１０を引き出すことがわかった。後側領域Ｒ１０を引き出すことにより、止着部材の前後方向の全域を引き出すことができるためである。外側防漏接合部７３２が後側領域Ｒ１０の前後方向の全域のうち半分以上の領域に設けられているため、フラップ部９０の引き出し時に外側防漏接合部７３２を介して外側肌当接部７１２が引き出され易くなる。よって、外側肌当接部７１２を引き出し、外倒れの外側防漏ギャザー６０２の頂点を幅方向Ｗの外側に向けるように装着できる。
【００３７】
吸収性物品１は、複数の止着部材のうち最も前側に位置する止着部材の前端縁と、複数の止着部材のうち最も後側に位置する止着部材の後端縁と、の間に延びる止着領域Ｒ２０を有する。外側防漏接合部７３２は、止着領域Ｒ２０の前後方向Ｌの全域のうち半分以上の領域に設けられてよい。好適には、外側防漏接合部７３２は、止着領域Ｒ２０の前後方向Ｌの全域に設けられてよい。止着領域Ｒ２０は、止着部材の前端縁を通り、かつ幅方向Ｗに延びる仮想線ＥＬ１３と、止着部材の後端縁を通り、かつ幅方向Ｗに延びる仮想線ＥＬ１４と、によって挟まれた領域である。複数の止着部材は、本実施の形態のように、第１止着部材９１と第２止着部材９２を有する形態であってもよいし、３つ以上の止着部材を有してもよい。本実施の形態の止着領域Ｒ２０は、第１止着部材９１の前端縁９１Ｆを通り、かつ幅方向Ｗに延びる仮想線ＥＬ１３と、第２止着部材９２の後端縁９２Ｒを通り、かつ幅方向Ｗに延びる仮想線ＥＬ１４と、によって挟まれた領域である。当該構成によれば、装着補助者が装着時に止着部材の全体を引き出した際に、外側防漏接合部７３２を介して外側肌当接部７１２が引き出され易くなる。よって、外側肌当接部７１２を引き出し、外倒れの外側防漏ギャザー６０２の頂点を幅方向Ｗの外側に向くように装着できる。
【００３８】
外側防漏接合部７３２の少なくとも一部は、物品折り目ＦＬ１を基点に展開した展開状態において物品折り目ＦＬ１よりも幅方向Ｗの外側に配置されてよい。着用時にフラップ部９０を折り畳む際に、折り癖が付いている物品折り目ＦＬ１を基点に折り畳むことがある。このように折り畳んだ場合には、吸収性物品１上に着用者を載せた後に、物品折り目ＦＬ１を基点にフラップ部９０を展開する。この展開時にフラップ部９０とともに外側防漏接合部７３２を展開でき、外側防漏接合部７３２を介して外側肌当接部７１２を引き出すことができる。よって、外側肌当接部７１２を引き出し、外倒れの外側防漏ギャザー６０２の頂点を幅方向の外側に向くように装着できる。
【００３９】
防漏折り目としての第１サイド折り目ＦＬ２１は、展開状態において物品折り目ＦＬ１よりも幅方向Ｗの外側に配置されてよい。物品折り目ＦＬ１を基点にフラップ部９０を展開する時に、フラップ部９０とともに外側肌当接部７１２全体を引き出すことができる。また、物品折り目ＦＬ１は、少なくとも前胴回り域Ｓ１及び後胴回り域Ｓ２において吸収コア３０に重なってよい。物品折り目ＦＬ１を基点にフラップ部９０を展開する時に、吸収コア３０とともにフラップ部９０を引き出すことができ、吸収コア３０の剛性によってフラップ部９０及び外側肌当接部７１２を引き出しやすくなる。
【００４０】
吸収性物品１の伸長状態において、外側肌当接部７１２の頂点は、吸収コア３０の外側縁３０Ｅよりも幅方向Ｗの外側に位置してよい。外側肌当接部７１２の頂点は、外側肌当接部７１２の外側縁に位置する。装着時に着用者を横向きにした後に着用者を吸収性物品１の上に載せる際は、一般的に、着用者の臀部が吸収コア３０に乗るように位置を調整する。すなわち、吸収コア３０よりも幅方向Ｗの外側には、着用者の臀部が乗りにくい。装着過程で着用者の体圧が掛かり難い領域（吸収コア３０よりも幅方向Ｗの外側の領域）に、外側肌当接部７１２の頂点が配置されているため、装着過程で着用者の体圧によって外側肌当接部７１２の頂点が展開し難くなる不具合を抑制できる。
【００４１】
図３に示すように、吸収性物品１の伸長状態において、防漏折り目としての第１サイド折り目ＦＬ２１は、少なくとも股下域Ｓ３において、吸収コア３０の外側縁３０Ｅよりも幅方向Ｗの外側に位置してよい。装着過程で着用者の体圧が掛かり難い領域（吸収コア３０よりも幅方向の外側の領域）に、外側肌当接部７１２の全体が配置されているため、装着過程で着用者の体圧によって外側肌当接部７１２が展開し難くなる不具合を抑制できる。
【００４２】
外側防漏シート６８２は、表面シート１１の外側部を覆い、かつ表面シート１１に対して表面接合部を介して接合されている。外側防漏接合部７３２の前後方向の長さは、表面接合部の前後方向の長さよりも長い。本態様によれば、外側防漏接合部７３２の前後方向の長さが比較的長いため、フラップ部９０を展開する際に外倒れの防漏ギャザーを一緒に展開し易い。また、表面シート１１と外側防漏シート６８２を接合する表面接合部の前後方向の長さが比較的短いため、外側防漏ギャザー６０２が幅方向Ｗの内側に引っ張られすぎず、外側防漏ギャザー６０２の頂点が幅方向Ｗの外側により向くように装着し易く、本来の外倒しギャザー機能を発揮しやすくなる。背側の表面接合部は、好ましくは背側防漏接合部の股間部側端縁より後側に位置し、より好ましくは第２止着部材９２の前端縁より後側に位置してよい。また、腹側の表面接合部は、好ましくは、腹側防漏接合部の股間部側端縁より前側に位置してよい。
【００４３】
外側防漏接合部７３２の前後方向Ｌの長さは、内側防漏接合部７３１の前後方向Ｌの長さよりも長くてよい。本実施の形態において、外側防漏接合部７３２の前後方向の外端縁は、内側防漏接合部７３１の前後方向の外端縁と一致しており、吸収性物品の前後方向の外端縁に到達している。外側防漏接合部７３２の前後方向の内端縁は、内側防漏接合部７３１の前後方向の内端縁よりも前後方向の内側に位置している。外側防漏接合部７３２の前後方向の長さが比較的長いため、フラップ部を展開する際に外倒れの防漏ギャザーを一緒に展開し易い。一方、第２防漏ギャザーは、その頂点が第２肌対向部の内側縁に位置しており、いわゆる内倒れの防漏ギャザーである。第２防漏接合部の前後方向の長さが比較的短いため、防漏ギャザーと比較して、フラップ部の展開時に追従し難い。よって、外倒れの防漏ギャザーの頂点を幅方向の外側に向くように装着できるとともに、内倒れの防漏ギャザーの頂点を幅方向の内側に向くように装着でき、本来の防漏ギャザー及び第２防漏ギャザーの機能を発揮しやすくなる。
【００４４】
前胴回り域Ｓ１に設けられた外側防漏接合部７３２の前後方向Ｌの長さは、吸収性物品１の前後方向Ｌの長さに対する１／４以上であってよい。なお、前胴回り域Ｓ１に設けられた外側防漏接合部７３２は、外側防漏非接合部７４２よりも前側に配置されていればよく、少なくとも一部が前胴回り域Ｓ１に設けられていればよい。吸収性物品１を装着する際には、着用者の脚の間に前胴回り域Ｓ１を通し、着用者の腹部を前胴回り域Ｓ１で覆う。このとき、着用者の脚の間が狭くなり、外側防漏ギャザー６０２が脚に当たることで、外倒れの外側防漏ギャザー６０２が内側に倒れるおそれがある。しかし、前胴回り域Ｓ１に設けられた外側防漏接合部７３２の前後方向Ｌの長さが長いため、外側防漏ギャザー６０２が脚に当たっても外倒れの外側防漏ギャザー６０２が内側に倒れることを抑制し、外倒れの外側防漏ギャザー６０２の頂点を幅方向の外側に向くように装着できる。
【００４５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。例えば、上述の実施形態の防漏ギャザーは、内側防漏ギャザー６０１と外側防漏ギャザー６０２を有しているが、変形例において、防漏ギャザーは、外側防漏ギャザー６０２のみを有してよい。実施の形態の外側防漏ギャザー６０２の内側部は、内側防漏ギャザー６０１の外側部に重なっている。すなわち、外側防漏ギャザー６０２と内側防漏ギャザー６０１は、部分的に積層され、接着剤を介して接合されている。しかし、変形例において、外側防漏ギャザー６０２と内側防漏ギャザー６０１は、積層されてなく、幅方向Ｗにおいて離間してよい。また、実施の形態の外側防漏ギャザー６０２は、内側防漏ギャザー６０１の肌面側に配置されている。しかし、変形例において、内側防漏ギャザー６０１が外側防漏ギャザー６０２の肌面側Ｔ１に配置されていてもよい。
【産業上の利用可能性】
【００４６】
本発明によれば外倒れの防漏ギャザーの頂点が幅方向の外側に向くように着用可能な吸収性物品を提供できる。
【符号の説明】
【００４７】
１        ：吸収性物品
１１      ：表面シート（第２防漏シート）
１２      ：サイドシート（防漏シート）
３０      ：吸収コア
６０１    ：内側防漏ギャザー（防漏ギャザー）
６０２    ：外側防漏ギャザー（第２防漏ギャザー）
６３      ：収縮部
６４      ：幅基端縁
６５      ：前基端縁
６６      ：後基端縁
６８２      ：外側防漏シート（防漏シート）
６９２      ：外側防漏弾性部材（防漏弾性部材）
９０      ：フラップ部
９１      ：第１止着部材（止着部材）
９２      ：第２止着部材（止着部材）
ＦＬ１    ：物品折り目
ＦＬ２１  ：第１サイド折り目（防漏折り目）
Ｌ        ：前後方向
Ｓ１      ：前胴回り域
Ｓ２      ：後胴回り域
Ｓ３      ：股下域
Ｔ１      ：肌面側
Ｔ２      ：非肌面側
Ｗ        ：幅方向
Ｒ１０    ：後側領域
Ｒ２０    ：止着領域
【要約】      （修正有）【課題】外倒れの防漏ギャザーの頂点が幅方向の外側に向くように着用可能な吸収性物品を提供する。【解決手段】吸収コア３０と、フラップ部９０と、後胴回り域Ｓ２のフラップ部に接合され、前胴回り域Ｓ１に止着可能な止着部材Ｒ２０と、防漏弾性部材を具備し肌面側に起立可能な左右一対の防漏ギャザーとを有し、防漏ギャザーは、防漏シートが幅方向外側から幅方向中央に向けて延びる対向部と、中央側位置の外側防漏折り目を起点に幅方向外側に折り返された肌当接部と、肌当接部が対向部に接合された防漏接合部７３２と、防漏接合部よりも前後方向の内側に位置し肌当接部が対向部に接合されていない防漏非接合部７４２とを有し、肌当接部は、伸長状態で防漏ギャザーのうち最も肌面側に位置し、止着部材の前端縁９０Ｆと後端縁１Ｒの間に延びる後側領域Ｒ１０を有し、防漏接合部は、後側領域の前後方向の全域のうち半分以上の領域に設けられている。【選択図】図１【図１】
0006802407.tif 000002
【図２】
0006802407.tif 000003
【図３】
0006802407.tif 000004
【図４】
0006802407.tif 000005
【図５】
0006802407.tif 000006
【図６】
0006802407.tif 000007